(57)【特許請求の範囲】
【請求項１】
バックライトモジュールにおいて、
導光機構と、
ランプであって、該導光機構の一側に設置された、上記ランプと、
反射板であって、内側に該ランプが設置され、該導光機構への該反射板の固定に用いられる挟持部を具えた、上記反射板と、
固定手段であって、該導光機構の一つの表面上に位置し、且つ該表面のみに位置する第１平面部分と第２平面部分を具え、該第１平面部分が該第２平面部分に接続され、該第１平面部分が該導光機構の該表面と接触し、該第２平面部分が該反射板の該挟持部と接触し、並びに該挟持部に加力し、該挟持部を該導光機構の該表面に固定し、且つ該固定手段が該反射板と該導光機構を未完全に被覆する、上記固定手段と、
を具えたことを特徴とする、バックライトモジュール。
【請求項２】
請求項１に記載のバックライトモジュールにおいて、固定手段に複数の孔が設けられたことを特徴とする、バックライトモジュール。
【請求項３】
請求項１に記載のバックライトモジュールにおいて、固定手段に一部平面の隆起が形成されたことを特徴とする、バックライトモジュール。
【請求項４】
請求項１に記載のバックライトモジュールにおいて、反射板に一部平面の隆起が形成されたことを特徴とする、バックライトモジュール。
【発明の詳細な説明】
【０００１】
【発明の属する技術分野】
本発明は一種の液晶ディスプレイバックライトモジュールに係り、特に、導光板の一側に反射板と固定カバーを同時に固定する固定方式に関する。
【０００２】
【従来の技術】
バックライトモジュールは液晶ディスプレイパネルの鍵となる部品であり、液晶自身は発光しないため、バックライトモジュールの機能は輝度が十分で且つ分布する光源を提供して、液晶ディスプレイパネルに正常な画像表示を行わせることにある。液晶ディスプレイパネルは成長の潜在力を有する多くの電子製品、例えばモニタ、ノートブック型コンピュータ、デジタルカメラ、プロジェクタに応用されており、バックライトモジュール及びその関係部品に対する要求も自ずと続けて成長している。現在、液晶ディスプレイに不可欠の導光板、液晶のバックライトモジュールは毎年縮小化、軽量化の方向に向けて発展している。且つ、その放熱度の増加、輝度向上、小型化の機能の改善は、液晶ディスプレイの性能改善に対しても極めて大きな影響と補助を有している。
【０００３】
これにより、バックライトモジュールの部品の小型化、軽量化の方法は、液晶ディスプレイパネルの応用に極めて有益である。ランプの発する光を完全に導光板に進入させ且つ放熱と固定機能を具えた反射板、及び固定と放熱機能を有する固定カバーの両者もまた、バックライトモジュールの発展を促進する。
【０００４】
図１は周知のバックライトモジュールの部分立体図である。周知のバックライトモジュールは導光板１０と、該導光板１０の平面に固定される固定カバー１２を具えている。この固定カバー１２は三つの部分、即ち第１部分１４、第２部分１６及び第３部分１８を具えている。第１部分１４と第２部分１６の間は折り曲げ部分で連接され、第２部分１６と第３部分１８は相互に連接され且つ相互に垂直とされている。反射板２０は二つの部分を具え、この二つの部分は第１反射平面２２と第２反射平面２４を具え、第１反射平面２２と第２反射平面２４は垂直で且つ相互に連接されている。固定カバー１２は第１部分１４で導光板１０の平面と接触し、第２部分１６の一部分が反射板２０の第１反射平面２２外部と接触し、且つ第２部分１６の一部が導光板１０の平面より上方に位置し、且つ固定カバー１２の第１部分１４と折り曲げの方式で連接されている。このほか、固定カバー１２の第３部分１８は反射板２０の第２反射平面２４の外部に接触している。
【０００５】
図２は周知のバックライトモジュールの図１中の２−２線断面図である。固定カバー１２は導光板１０上に固定される。固定カバー１２は第１部分１４と第２部分１６及び第３部分１８を具え、第１部分１４は折り曲げ部分で第２部分１６に連接され、第１部分１４と第２部分１６の間の折り曲げ部分は、固定カバー１２の機械強度を高めて断裂を防止するために設計されている。第２部分１６は第３部分１８に連接されて相互に垂直とされている。
【０００６】
反射板２０はランプ２６を内側に被覆し、反射板２０は三つの反射平面、即ち、第１反射平面２２、第２反射平面２４、及び第３反射平面２８を具えている。第１反射平面２２は第２反射平面２４に垂直に連接され、第２反射平面２４は第３反射平面２８に垂直に連接されている。且つこの三つの反射平面の垂直に相互に連接される方式により中空に類似の構造が形成されてランプ２６を包囲し、これによりランプ２６の発射する光を反射板２０の三つの反射平面で反射して光線を導光板１０に進入させる。
【０００７】
このほか、反射板２０は第３反射平面２８の一部分で導光板１０に接触し、並びに固定挟持部３０と共同で導光板１０を挟持し、これにより反射板２０を導光板１０の側辺に固定している。固定カバー１２の第１部分１４は導光板１０の平面上に接触し、固定カバー１２が導光板１０の上に固定される。第２部分１６は一部が反射板２０の第１反射平面２２の外部に接触し、一部が導光板１０の平面より上方に位置し、且つ折り曲げられて固定カバー１２の第１部分１４に連接されている。固定カバー１２の第３部分１８は反射板２０の第２反射平面２４の外部に接触し、これにより反射板２０の導光板１０への固定の強固度を強化し、並びに反射板２０の熱エネルギーが熱伝導を透過して固定カバー１２に分散するものとされ、これにより放熱面積を増加する方式で放熱効果を増強している。
【０００８】
反射板２０はランプ２６を内部に包囲し、ランプ２６の光線は完全に導光板１０に進入し、光線が均一に且つ明るく導光板１０の平面より投射される。且つランプ２６自身は熱エネルギーを発生し、且つランプ２６の発生する光線も反射板２０自身の熱エネルギーを増加させるため、反射板２０は放熱の機能を具備しなければならず、そうでなければ反射板２０の内部過熱によりランプ２６の運転に問題が生じる。導光板１０に進入する光線に最適の入射効果を達成させるため、ランプ２６と反射板２０の位置は固定することが必要で、そうでなければ反射板２０とランプ２６の相対位置が改変しやすくなり、導光板１０に入射する光線の均一度に影響が生じる。ゆえに反射板の基本機能を維持する前提で、反射板に対する改善が必要である。
【０００９】
このほか、固定カバー１２は反射板２０とランプ２６を導光板１０の側辺に固定し、並びにバックライトモジュールの耐曲強度を強化し、且つ放熱の機能を具備する。しかし、周知の技術によると、伝統的な固定カバー１２は一部分が直接導光板１０の平面に固定され、別の一部分が完全に反射板２０の外部の包囲し、これにより反射板２０の放熱は必ず固定カバー１２を透過しなければ放熱の効果を達成できない。しかしこのために却って放熱効果が理想的とならない。バックライトモジュールが追求する軽薄化の発展方向に対して、固定カバー１２は反射板２０外部を包囲するためにバックライトモジュールの厚さと重量を増してしまう。
【００１０】
反射板２０の固定位置はバックライトモジュールの厚さに影響を与えるため、改善の必要がある。
【００１１】
放熱の面で、放熱の面積を増加すれば放熱の効率は良好となり、全体のバックライトモジュールの操作が安定する。しかし、放熱面積を増加するために固定カバー１２の面積を増加すれば、固定カバー１２のコストが増加するだけでなく、固定カバー１２の重量も加わり、全体のバックライトモジュールの追求する軽量化の方向から離れる結果となる。全体のバックライトモジュールを軽量化、薄型化するためには、もとの放熱効率を維持しつつ、バックライトモジュールの厚さと重量を減らさねばならない。ゆえに薄く且つ放熱効率の高いバックライトモジュールが本発明の発明の重点である。
【００１２】
【発明が解決しようとする課題】
上述の従来の技術に述べたように、伝統的な反射板と固定カバーの間の固定方式には多くの欠点があり、これに対して本発明は反射板と固定カバーの固定方式を改善する方法を提供し、周知の技術の欠点を改善する。
【００１３】
本発明の目的は、バックライトモジュールの放熱効率を高めるために、反射板と固定カバーを導光板に良好に固定する前提の下で、固定カバーの一部分だけを反射板に接触させて、完全には反射板外部を被覆しない方式で放熱面積を増加し、これにより放熱効率を高めることにある。
【００１４】
本発明の別の目的は、固定カバーの一部のみを反射板に接触させ、完全には反射板外部の被覆しない方式により、反射板の外部の厚さを減らし、これによりバックライトモジュールの厚さを減らして薄型化することにある。
【００１５】
本発明のさらに別の目的は、バックライトモジュールの製造コストと重量を減らすことにあり、固定カバーの一部のみを反射板に接触させ、完全には反射板を被覆しない方式により固定カバーの使用面積を減らし、バックライトモジュールの固定カバーのコストを減らすと共に、固定カバーの重量を減らし、これによりバックライトモジュールの全体重量を減らす。
【００１６】
【課題を解決するための手段】
請求項１記載の発明は、バックライトモジュールにおいて、
導光機構と、
ランプであって、該導光機構の一側に設置された、上記ランプと、
反射板であって、内側に該ランプが設置され、該導光機構への該反射板の固定に用いられる挟持部を具えた、上記反射板と、
固定手段であって、該導光機構の一つの表面上に位置し、且つ該表面のみに位置する第１平面部分と第２平面部分を具え、該第１平面部分が該第２平面部分に接続され、該第１平面部分が該導光機構の該表面と接触し、該第２平面部分が該反射板の該挟持部と接触し、並びに該挟持部に加力し、該挟持部を該導光機構の該表面に固定し、且つ該固定手段が該反射板と該導光機構を未完全に被覆する、上記固定手段と、
を具えたことを特徴とする、バックライトモジュールとしている。
請求項２の発明は、請求項１に記載のバックライトモジュールにおいて、固定手段に複数の孔が設けられたことを特徴とする、バックライトモジュールとしている。
請求項３の発明は、請求項１に記載のバックライトモジュールにおいて、固定手段に一部平面の隆起が形成されたことを特徴とする、バックライトモジュールとしている。
請求項４の発明は、請求項１に記載のバックライトモジュールにおいて、反射板に一部平面の隆起が形成されたことを特徴とする、バックライトモジュールとしている。
【００１７】
【発明の実施の形態】
本発明は液晶ディスプレイバックライトモジュールの構造に係り、特に、導光板の一側の反射板と固定カバーの両者の固定方式に関する。本発明の反射板は導光板に良好に固定され、且つランプを被包する。固定カバーもまた導光板に固定されるが、反射板を未完全被覆し、固定カバーの一部分が反射板の一部分に接触し、固定カバーと反射板がいずれも良好に導光板に固定される。固定カバーと反射板がただ一部分を以て接触するため、放熱面積が増加し並びに材料コストが減少する。
【００１８】
【実施例】
図３は本発明によるバックライトモジュールの部分立体図である。本発明のバックライトモジュールは、導光機構と、固定手段と、反射板４２、及び光源装置であるランプ５２を具えている。
【００１９】
該導光機構は導光板３２とされ、該導光板３２は二つの平面と四つの側辺を具えている。固定カバー３４は導光板３２のそのうちの一つの平面に固定されると共に一つの側辺部分に位置し、固定カバー３４は第１平面部分である第１部分３６、第２平面部分である第２部分３８、第３平面部分である第３部分４０を具え、第１部分３６が折り曲げ部分で第２部分３８に連接され、第２部分３８が折り曲げ部分で第３部分４０に連接されている。第１部分３６と第２部分３８の間の折り曲げ部分は固定カバー３４の機械強度を増加して断裂を防止するために設けられ、第２部分３８と第３部分４８の間の折り曲げ部分、及び第２部分３８自身との間の折り曲げ部分もまた固定カバー３４の機械強度を増強するために設計されている。
【００２０】
上記反射板４２は導光板３２の一側辺に連接され、この側辺は固定カバー３４があるのと同一の側辺である。反射板４２は固定挟持部４４、第１反射平面４６及び第２反射平面４８を具え、固定挟持部４４は導光板３２の平面に接触し、並びに第１反射平面４６に連接され、第１反射平面４６の別の一辺は垂直に第２反射平面４８に連接されている。固定カバー３４の第１部分３６と導光板３２の平面は接触し、これにより固定カバー３４が導光板３２上に固定されている。固定カバー３４の第３部分４０は反射板４２の固定挟持部４４に接触する。図４は本発明の図３の４−４線断面図である。
【００２１】
図４に示されるように、反射板４２はさらに第３反射平面５０を具え、該第３反射平面５０は垂直に第２反射平面４８に連接され、ゆえに第１反射平面４６、第２反射平面４８、第３反射平面５０が共同で中空状の空間である中空部を形成している。第３反射平面５０は一側が第２反射平面４８と垂直に連接されているほか、別側平面が導光板３２の平面と面状の形式で接触し、反射板４２の固定挟持部４４と共同で導光板３２を挟持し、これにより反射板４２が導光板３２上に固定され、いわゆる挟持部とされている。反射板４２の第１反射平面４６、第２反射平面４８、第３反射平面５０が共同で形成する中空部中に発光装置であるランプ５２が設けられ、該ランプは発光ダイオード、冷陰極管（ＣＣＦＬ；Ｃｏｌｄ  Ｃａｔｈｏｄｅ  Ｆｌｕｏｒｅｓｃｅｎｔ  Ｌａｍｐ）、ハロゲンランプとされうる。
【００２２】
ランプ５２が運転開始する時、ランプ５２の発生する光線の一部は直接導光板３２に進入し、別の一部の光線は反射板４２の第１反射平面４６、第２反射平面４８、第３反射平面５０が共同で導光板３２に導入し、或いはさらに一部の光線が吸収されて接触した部品にあって熱エネルギーを発生する。もしランプ５２自身の発生する熱エネルギーと光線が吸収されて発生した熱エネルギーが放熱設計により適当に放出されなければ、全体のバックライトモジュールの運転に影響が生じ、ゆえに放熱効率はバックライトモジュールの運転、設計上、極めて注意が必要なポイントの一つである。
【００２３】
熱エネルギー発散の方式は、まずランプ５２より発射された光線の熱輻射方式とランプ５２自身の温度の形成する熱対流方式により反射板４２の各反射平面と導光板３２の側辺に伝導する。熱エネルギーが導光板３２の側辺に伝えられる時、一部の熱は熱伝導の方式で導光板３２の平面に伝えられ、さらに導光板３２の二つの平面より反射板４２の固定挟持部４４、第３反射平面５０と固定カバー３４の第１部分３６に伝えられる。反射板４２と固定カバー３４は熱伝導速度が極めて速い金属で形成されているため、反射板４２の固定挟持部４４、第３反射平面５０と固定カバー３４の第１部分３６に伝えられた熱エネルギーは空気により熱対流の方式で奪われ、また、固定カバー３４の第２部分３８、第３部分４０と反射板４２の第１反射平面４６、第２反射平面４８、第３反射平面５０に極めて急速に伝えられ、さらにそれに接触する空気により熱エネルギーが奪われ、こうして放熱の効果が達成される。
【００２４】
同様に、ランプ５２が発生する熱エネルギーが熱輻射と熱対流の方式で反射板４２の第１反射平面４６、第２反射平面４８、第３反射平面５０に伝えられる時、熱エネルギーは熱対流を透過して空気により第１反射平面４６、第２反射平面４８、第３反射平面５０の一部の熱エネルギーが奪われるほか、一部の熱エネルギーが熱伝導の方式で反射板４２の固定挟持部４４と固定カバー３４に伝えられ、空気により熱対流の方式で奪われる。これにより反射板４２と固定挟持部４４の両者の放熱面積が増大する時、外部空気により熱対流方式で奪われる反射板４２と固定挟持部４４の熱エネルギーの面積も大きくなり、放熱効果は自ずと良好となる。
【００２５】
図４に示されるように、固定カバー３４は第３部分４０のみが反射板４２の固定挟持部４４に接触し、並びに従来のように固定カバー３４が完全に反射板４２外部の範囲を被覆するわけではなく、ゆえに本発明は固定カバー３４のもともと反射板４２外部の被覆していた部分のコストを減らせ、反射板４２外部を被覆する固定カバー３４の一部を反射板４２外部の大きさ寸法に合わせて設計する苦労を減らせる。周知の技術では固定カバー３４を折り曲げ並びに反射板４２外部を包囲させる組立フローが必要であったが、本発明はそれが必要でなく、さらに組立時間を節約できる。且つ固定カバー３４が反射板４２の外部を被覆せず、一部が反射板４２の固定挟持部４４に接触するだけであり、このためバックライトモジュールの全体厚さを減らすことができる。
【００２６】
簡単に述べると、本発明の固定カバー、反射板は良好にバックライトモジュールに固定される前提の下で、固定カバーが反射板を被覆せず、ただ導光板平面に位置する固定カバーの小部分が導光板の同一平面に位置する反射板の一部分に接触し、これによりバックライトモジュールの全体厚さを減らせるほか、反射板と固定カバーの放熱面積を増し、全体のランプ放熱面積を増し、放熱効果を増強できる。このほか、固定カバーの一部だけが反射板に接触するため、固定カバーの材料コストを減らせ、且つ固定カバーを折り曲げて寸法を反射板外周に合わせる設計プロセスが不要で、また固定カバーを反射板に挿入する必要がなく、全体の反射板と固定カバーの組立フローの速度を高めるのに役立つ。
【００２７】
放熱面積の増加に対しては、図２及び図４に示される固定カバーの面積により判定できる。固定カバー１２と反射板２０の両者の幅がｃとされ、図２に示されるように、固定カバー１２の第３部分１８の高度がｂとされ、固定カバー１２の第１部分１４と第２部分１６の総長がａとされるなら、固定カバー１２と反射板２０の放熱面積は約（ａ＋ｂ）×ｃとなり、周知の技術中、固定カバー１２の第３部分１８の高度と本発明の反射板４２の第２反射平面４８の高度は、ｂの比率が不変の前提下で、図４中の固定カバー３４と反射板４２の両者の幅がｃとされ、反射板４２の固定挟持部４４、第１反射平面４６と固定カバー３４の総長は（１．３ａ＋）×ｃとされ、本発明の固定カバー３４と反射板４２の放熱面積は、少なくとも周知の技術に較べて０．５ａｃ大きく、放熱効果が自ずと良好とされる。
【００２８】
材料節約の面では、図２の周知の技術の固定カバー１２の総面積は約（ａ＋ｂ）×ｃとされ、本発明の図４中の反射板４２の第２反射平面４８の高度がｂとされるとき、固定カバー３４の第１部分３６、第２部分３８、第３部分４０の総長が０．８ａとされ、すなわち固定カバー３４材料総面積は０．８ａｃとされ、周知の固定カバー１２の材料総合面積（ａ＋ｂ）×ｃから少なくとも（０．２ａ＋ｂ）×ｃの面積の固定カバー材料コストを減らすことができ、且つ全体のバックライトモジュールの重量を軽減できる。
【００２９】
側辺高度から見て、もし本発明の反射板の側辺高度を周知の固定カバーの高度が同じとしなければ、本発明の固定カバーは反射板の外部の被覆する必要がなく、ゆえに一層の固定カバーの高度を減らすことができ、バックライトモジュールより一定分量の高度を減らすことができ、バックライトモジュールの薄型化、軽量化の発展傾向に符合する。
【００３０】
当然、本発明はその他の形式上の改変が可能で、例えば図９に示されるように、固定カバー３４と反射板４２に孔５４が増設されて放熱効率を高めるのを助けると共に、材料を節約し重量を軽減するようにした形態、或いは固定カバー３４に平面隆起部分５６を増加して放熱面積を増加すると共に固定カバー３４の機械強度を増した形態が可能である。反射板４２自身の放熱面積と機械強度を更に増すため、反射板４２に平面隆起部分５８を増加した形態も可能である。
【００３１】
以上は本発明の好ましい実施例の説明であって、本発明の実施範囲を限定するものではなく、本発明に基づきなしうる細部の修飾或いは改変は、いずれも本発明の請求範囲に属するものとする。
【００３２】
【発明の効果】
本発明は、バックライトモジュールの放熱効率を高めるために、反射板と固定カバーを導光板に良好に固定する前提の下で、固定カバーの一部分だけを反射板に接触させて、完全には反射板外部を被覆しない方式で放熱面積を増加し、これにより放熱効率を高めている。
【００３３】
本発明は、固定カバーの一部のみを反射板に接触させ、完全には反射板外部の被覆しない方式により、反射板の外部の厚さを減らしており、これによりバックライトモジュールの厚さを減らして薄型化できる。
【００３４】
本発明はまた、バックライトモジュールの製造コストと重量を減らすため、固定カバーの一部のみを反射板に接触させ、完全には反射板を被覆しない方式により固定カバーの使用面積を減らし、バックライトモジュールの固定カバーのコストを減らすと共に、固定カバーの重量を減らし、これによりバックライトモジュールの全体重量を減らしている。
【図面の簡単な説明】
【図１】  周知のバックライトモジュールの部分立体図である。
【図２】  周知のバックライトモジュールの図１中の２−２線断面図である。
【図３】  本発明によるバックライトモジュールの部分立体図である。
【図４】  本発明の図３の４−４線断面図である。
【図５】  本発明のバックライトモジュールの平面図である。
【図６】  周知のバックライトモジュールのランプ温度データ表である。
【図７】  本発明のバックライトモジュールのランプ温度データ表である。
【図８】  ランプ温度と輝度の関係図である。
【図９】  本発明の第２実施例の部分立体図である。
【符号の説明】
１０  導光板
１２  固定カバー
１４  第１部分
１６  第２部分
１８  第３部分
２０  反射板
２２  第１反射平面
２４  第２反射平面
２６  ランプ
２８  第３反射平面
３０  固定挟持部
３２  導光板
３４  固定カバー
３６  第１部分
３８  第２部分
４０  第３部分
４２  反射板
４４  固定挟持部
４６  第１反射平面
４８  第２反射平面
５０  第３反射平面
５２  ランプ
５４  孔
５６  平面隆起部
５８  平面隆起部
ａ  固定カバーの総長
ｂ  バックライトモジュールの幅
ｃ  固定カバーと反射板の両者の長
Ａ、Ｂ、Ｃ  ランプ温度測定の位置
【図１】
0004339616.tif 000002
【図２】
0004339616.tif 000003
【図３】
0004339616.tif 000004
【図４】
0004339616.tif 000005
【図５】
0004339616.tif 000006
【図６】
0004339616.tif 000007
【図７】
0004339616.tif 000008
【図８】
0004339616.tif 000009
【図９】
0004339616.tif 000010